(57)【要約】【課題】緩衝部材に形成した空洞が潰れ易かった。【解決手段】ＣＲＴディスプレイ１０の背面と当該背面と相対する箱体３０の内壁との間を埋める緩衝部材２０の厚肉箇所に、少なくとも前面側から背面側に向かって突出する突起２２を空間内部に形成した空洞２１を備えることにより、落下時の衝撃を受けた際に、当該空洞２１をある程度縮小させて同衝撃を吸収させるとともに、突起２２の先端を同先端と相対する空洞２１の内壁に衝突させることにより、空洞２１の縮小程度を抑え、空洞２１が潰れてしまう事を防止するため、被梱包物としてのＣＲＴディスプレイ１０を確実に保護することができる。【選択図】図２
0003112849.tif 000002
【実用新案登録請求の範囲】
【請求項１】
映像表示装置を梱包用の箱体に収容した際の箱体との隙間を、所定箇所に空洞を形成した発泡スチロールによって埋め外部からの衝撃を緩和する映像表示装置の包装構造において、
上記発泡スチロールは、箱体と映像表示装置としてのＣＲＴディスプレイとの隙間のうち、ＣＲＴディスプレイの４隅各近傍におけるＣＲＴディスプレイの前面と相対する箱体の内壁からＣＲＴディスプレイの背面と相対する箱体の内壁に至る範囲の各隙間を夫々に埋める４つの分離した部材として箱体内に収容されるとともに、下方左右の発泡スチロールにおける上記背面と背面と相対する箱体の内壁との隙間を埋める厚肉部分に夫々に空洞が形成され、
上記空洞は、空洞内において上記前面側から背面側に向かう方向に突出する突起を有し突起が突出する方向の断面形状がコの字状に形成されることにより、外部から衝撃を受けて空洞が縮小する際に突起の先端を相対する空洞の内壁に衝突させ当該空洞が縮小する程度を所定範囲内に抑制することを特徴とする映像表示装置の包装構造。
【請求項２】
所定箇所に空洞を形成し、被梱包物を梱包用の箱体に収容した際に箱体との隙間を埋めて外部からの衝撃を緩和する緩衝部材において、
上記空洞は、外部から衝撃を受けて空洞が縮小する際に相対する空洞の内壁にその先端を衝突させることにより当該空洞が縮小する程度を所定範囲内に抑制する突起を内壁の所定位置から空洞内側に突出させた形状であることを特徴とする緩衝部材。
【請求項３】
上記緩衝部材は、箱体と同箱体に収容される映像表示装置との隙間を埋め、上記空洞は、映像表示装置の背面と当該背面と相対する箱体の内壁との隙間を埋める緩衝部材の厚肉部分に形成されることを特徴とする請求項２に記載の緩衝部材。
【請求項４】
上記空洞は、上記背面と背面と相対する箱体の内壁との隙間であって、同背面の４隅の後方の隙間のうち下方左右の隙間を埋める緩衝部材内に形成されることを特徴とする請求項３に記載の緩衝部材。
【請求項５】
上記空洞内の突起は、映像表示装置の前面側から背面側に向かう方向に突出することを特徴とする請求項３〜請求項４のいずれかに記載の緩衝部材。
【請求項６】
上記空洞は、突起が突出する方向の断面形状がコの字状であることを特徴とする請求項３〜請求項５のいずれかに記載の緩衝部材。
【請求項７】
上記空洞内には、映像表示装置の前面側から背面側に向かう方向に突出する突起と同背面側から前面側に向かう方向に突出する突起とがそれぞれ形成されていることを特徴とする請求項３〜請求項５のいずれかに記載の緩衝部材。
【請求項８】
上記緩衝部材は、箱体と映像表示装置との隙間のうち、映像表示装置の４隅各近傍における、映像表示装置の前面と相対する箱体の内壁から映像表示装置の背面と相対する箱体の内壁に至る範囲の各隙間を夫々に埋める４つの部材からなることを特徴とする請求項３〜請求項７のいずれかに記載の緩衝部材。
【請求項９】
上記緩衝部材は、箱体と映像表示装置との隙間のうち、映像表示装置の左右各近傍における、映像表示装置の前面と相対する箱体の内壁から映像表示装置の背面と相対する箱体の内壁に至る範囲の両隙間を夫々に埋める２つの部材からなることを特徴とする請求項３〜請求項７のいずれかに記載の緩衝部材。
【請求項１０】
上記映像表示装置は、ＣＲＴディスプレイであることを特徴とする請求項３〜請求項９のいずれかに記載の緩衝部材。
【考案の詳細な説明】
【技術分野】
【０００１】
本考案は、映像表示装置の包装構造および緩衝部材に関する。
【背景技術】
【０００２】
従来より、上面と下面が上方に凸形の正面円弧状をなす抜き穴が本体の正面から背面へ貫通して形成された緩衝体が知られている（例えば、特許文献１参照。）。
また、関連する従来技術として、特許文献２〜４が知られている。
【特許文献１】実開昭６４‐２６２８２号公報
【特許文献２】実開平５‐６１０７３号公報
【特許文献３】特開平１１‐５９７３６号公報
【特許文献４】実開昭６２‐６２６８８号公報
【考案の開示】
【考案が解決しようとする課題】
【０００３】
文献１等の従来技術においては、緩衝部材中に上記抜き穴などの空洞を設けているものの、従来に見られるような空洞の形状では外部から衝撃を受けた際に当該空洞が潰れ易く、空洞が潰れてしまうと衝撃が電気機器等の被梱包物に伝わりやすくなってしまい、被梱包物を確実に保護できないという課題があった。
【０００４】
本考案は、上記課題に鑑みてなされたもので、被梱包物を外部の衝撃から確実に保護することの可能な映像表示装置の包装構造および緩衝部材を提供することを目的とする。
【課題を解決するための手段】
【０００５】
上記目的を達成するため、請求項２の考案は、所定箇所に空洞を形成し、被梱包物を梱包用の箱体に収容した際に箱体との隙間を埋めて外部からの衝撃を緩和する緩衝部材において、上記空洞は、外部から衝撃を受けて空洞が縮小する際に相対する空洞の内壁にその先端を衝突させることにより当該空洞が縮小する程度を所定範囲内に抑制する突起を内壁の所定位置から空洞内側に突出させた形状である構成としてある。
【０００６】
上記のように構成した請求項２においては、緩衝部材は、所定の箇所に空洞を形成している。当該空洞には空洞内側に突出する突起が内壁の所定位置に形成されている。そして、外部から衝撃を受けた際には空洞はある程度縮小するものの、突起が相対する空洞の内壁に先端を衝突させることにより縮小の程度を所定範囲内に抑制する。
すなわち本考案は、外部から衝撃を受けた際に上記空洞を縮小させることにより衝撃を吸収するとともに、当該空洞が潰れてしまうことは防いでいる。
【０００７】
請求項３は、請求項２に記載の緩衝部材において、箱体と同箱体に収容される映像表示装置との隙間を埋め、上記空洞は、映像表示装置の背面と当該背面と相対する箱体の内壁との隙間を埋める緩衝部材の厚肉部分に形成される構成としてある。
緩衝部材が、映像表示装置と箱体との隙間を埋める場合、映像表示装置の背面と当該背面と相対する箱体の内壁との間には緩衝部材が厚肉となる領域が生じるため、この厚肉部分に上記空洞を形成する。
【０００８】
請求項４は、請求項３に記載の緩衝部材において、上記空洞は、上記背面と背面と相対する箱体の内壁との隙間であって、同背面の４隅の後方の隙間のうち下方左右の隙間を埋める緩衝部材内に形成される構成としてある。
空洞を形成する位置および形成する数は限定されるものではないが、一例として、映像表示装置の背面の４隅の後方の隙間のうち下方左右の隙間を埋める緩衝部材内に形成してもよい。製品が落下する場合は製品の下方側が先に地面に激突することが多い為、上記のように下方に隙間を形成すれば、かかる落下による衝撃から製品を保護することができる。
【０００９】
請求項５は、請求項３〜請求項４のいずれかに記載の緩衝部材において、上記空洞内の突起は、映像表示装置の前面側から背面側に向かう方向に突出する構成としてある。
映像表示装置が箱体に収容された状態で背面側から落下した場合、上記空洞は落下の衝撃を受けて前面側から背面側に向かってその体積が縮むように潰れる。このとき、空洞内部にて上記突起が前面側から背面側に向かって突出していればその先端を相対する内壁に衝突させることで、空洞が必要以上に縮小し潰れてしまうことを防止できる。
【００１０】
請求項６は、請求項３〜請求項５のいずれかに記載の緩衝部材において、上記空洞は、突起が突出する方向の断面形状がコの字状である構成としてある。
突起は、空洞がある程度縮小したときにその先端を相対する空洞の内壁に当接させられるだけの長さを有していればその形状は特に限定されるものではないが、一例として、突起が突出する方向の上記空洞の断面形状がコの字状であるとしてもよい。むろん、突起の形状は、上記空洞のある内壁の中程から突出する柱状としてもよいし、その数が複数であってもよい。
【００１１】
請求項７は、請求項３〜請求項５のいずれかに記載の緩衝部材において、上記空洞内には、映像表示装置の前面側から背面側に向かう方向に突出する突起と同背面側から前面側に向かう方向に突出する突起とがそれぞれ形成されている構成としてある。
外部からの衝撃は一方向からとは限らない。上記のように、映像表示装置の前面側から背面側に向かう方向に突出する突起に加え、同背面側から前面側に向かう方向に突出する突起を空洞内に形成すれば、映像表示装置を収容した箱体を前面側から落下させた場合でも、落下の衝撃によって空洞が潰れてしまうことを防止できる。
【００１２】
請求項８は、請求項３〜請求項７のいずれかに記載の緩衝部材において、上記緩衝部材は、箱体と映像表示装置との隙間のうち、映像表示装置の４隅各近傍における、映像表示装置の前面と相対する箱体の内壁から映像表示装置の背面と相対する箱体の内壁に至る範囲の各隙間を夫々に埋める４つの部材からなる構成としてある。
つまり、４ピースの部材を一組の緩衝部材として映像表示装置の４隅を保護するように箱体内に収容する。そして、全てあるいは一部の部材の厚肉箇所に上記空洞を形成する。
【００１３】
一方、請求項９は、請求項３〜請求項７のいずれかに記載の緩衝部材において、上記緩衝部材は、箱体と映像表示装置との隙間のうち、映像表示装置の左右各近傍における、映像表示装置の前面と相対する箱体の内壁から映像表示装置の背面と相対する箱体の内壁に至る範囲の両隙間を夫々に埋める２つの部材からなる構成としてある。
つまり、２ピースの部材を一組の緩衝部材として映像表示装置を左右から保護するように箱体内に収容してもよい。
【００１４】
請求項１０は、請求項３〜請求項９のいずれかに記載の緩衝部材において、上記映像表示装置はＣＲＴディスプレイである構成としてある。
ＣＲＴディスプレイは筐体内部にＣＲＴを収容しているため、背面の中程が後方に出っ張る形状となる。よって、ＣＲＴディスプレイの背面であって前記中程の部分以外の部分と、これと相対する箱体の内壁との間にはかなりの距離が生じ、そこを埋める緩衝部材の箇所も厚肉となる。従って、かかる厚肉となった箇所に上記空洞を形成し、ＣＲＴディスプレイを保護する。
【００１５】
上述の各構成を踏まえて、請求項１にかかる考案は、映像表示装置を梱包用の箱体に収容した際の箱体との隙間を、所定箇所に空洞を形成した発泡スチロールによって埋め外部からの衝撃を緩和する映像表示装置の包装構造において、上記発泡スチロールは、箱体と映像表示装置としてのＣＲＴディスプレイとの隙間のうち、ＣＲＴディスプレイの４隅各近傍におけるＣＲＴディスプレイの前面と相対する箱体の内壁からＣＲＴディスプレイの背面と相対する箱体の内壁に至る範囲の各隙間を夫々に埋める４つの分離した部材として箱体内に収容されるとともに、下方左右の発泡スチロールにおける上記背面と背面と相対する箱体の内壁との隙間を埋める厚肉部分に夫々に空洞が形成され、上記空洞は、空洞内において上記前面側から背面側に向かう方向に突出する突起を有し突起が突出する方向の断面形状がコの字状に形成されることにより、外部から衝撃を受けて空洞が縮小する際に突起の先端を相対する空洞の内壁に衝突させ当該空洞が縮小する程度を所定範囲内に抑制する構成としてある。
【００１６】
このように、より具体的な構成とした請求項１において、上記請求項２〜請求項６、請求項８、請求項１０と同様の作用、効果を奏することは言うまでも無い。
【考案の効果】
【００１７】
以上説明したように、本願考案によれば、梱包用の箱体と映像表示装置などの被梱包物との隙間を埋める緩衝部材の所定箇所に空洞を形成し、当該空洞内部に、外部からの衝撃によって当該空洞が縮む方向に向かって突出する突起を形成したため、同衝撃を受けた際にある程度は空洞を縮小させることにより衝撃を吸収することができ、かつ同突起がそれ以上の空洞の潰れを防止するため、空洞が潰れてしまって外部からの衝撃が被梱包物に影響を及ぼすという不都合を防止することができる。
【考案を実施するための最良の形態】
【００１８】
図１は、本考案にかかる映像表示装置の包装構造を斜視図により、概略的に示している。
同図においては、被梱包物としてのＣＲＴディスプレイ１０を背面側から示している。ＣＲＴディスプレイ１０は、その４隅を発泡スチロールなどの発泡材によって成形された緩衝部材２０によって保護された状態で、図の下方に示した梱包用の箱体３０内に収容される。以下においては、ＣＲＴディスプレイ１０を正面から見たときに同ＣＲＴディスプレイ１０の右上、左上、右下、左下に装着される各緩衝部材２０を順に、適宜、緩衝部材２０ａ，２０ｂ，２０ｃ，２０ｄとも呼ぶ。
【００１９】
緩衝部材２０ａ，２０ｂの形状が示すように、各緩衝部材２０には、それらが接するＣＲＴディスプレイ１０の筐体部分の形状に沿った形に凹部が形成されており、その凹部にＣＲＴディスプレイ１０の筐体の各隅をはめ込むようになっている。緩衝部材２０ｃ，２０ｄにおいては、かかる凹部の図示は省略してある。
【００２０】
本実施形態においては、各緩衝部材２０は、ＣＲＴディスプレイ１０の各隅に装着された際にＣＲＴディスプレイ１０の背面１１よりも後方に存在して同背面１１と箱体３０の内壁との間を埋める箇所に、空洞２１を形成する。同図においては、空洞２１は４つ全ての緩衝部材２０に形成されており、各緩衝部材２０を上下に貫いた状態に形成されている。ただし、空洞２１は必ずしもＣＲＴディスプレイ１０の後方４隅の全てに形成する必要はなく、下方左右の緩衝部材２０ｃ，２０ｄのみに形成するようにしてもよい。また、空洞２１は、それを緩衝部材２０を貫くように形成することは必須ではなく、緩衝部材２０の所定個所の内部において閉じられた空間として形成してもよい。
【００２１】
図２は、ＣＲＴディスプレイ１０に各緩衝部材２０を装着した状態を、図１のＡ‐Ａ線による断面図によって示している。ただし同図においては、略中央のＣＲＴディスプレイ１０については断面ではなくその上面を示し、上下の緩衝部材２０ｃ，２０ｄについてはその断面を示している。また、２点鎖線によって箱体３０の大きさを示している。
【００２２】
ここで、ＣＲＴディスプレイ１０は筐体内部にＣＲＴを収容するため、背面１１の中でもその背面中央部１１ｂは、当該背面中央部１１ｂを取り囲む背面縁周部１１ａよりも後方に突出した形状となっている。従って、ＣＲＴディスプレイ１０の４隅を保護するように箱体３０との隙間を埋める各緩衝部材２０においても、背面縁周部１１ａと、これと相対する箱体３０の内壁との隙間を埋める箇所が厚肉となる。そこで、本考案においては、かかる緩衝部材２０の厚肉箇所に上記空洞２１を形成する。
【００２３】
空洞２１は、図に示すように、前面‐背面方向における水平断面がコノ字状となるように形成されている。より具体的には、空洞２１を取り囲む内壁のうち、前面側に近い壁面からは、背面側に向かって空洞内部に突起２２が突出している。突起２２は発泡材によって構成されている。また、突起２２の先端と当該先端と相対する空洞２１の背面側に近い内壁との距離を距離ｄ１とする。
【００２４】
かかる構成下、箱体３０の外部から衝撃を受けた際の空洞２１の変形について説明する。ここでは、ＣＲＴディスプレイ１０を収容した箱体３０を背面側から落下させる落下実験を想定して説明する。
図３（ａ）は上記落下前の空洞２１の形状を示し、同図（ｂ）は落下による衝撃を受けた後の空洞２１の形状を示している。ＣＲＴディスプレイ１０を収容した箱体３０を背面側から落下させると、ＣＲＴディスプレイ１０を保護している緩衝部材２０は、落下の衝撃によって前面側から背面側へ向かってその体積を縮小させる。かかる縮小に伴い、空洞２１もその空間を前面側から背面側に向かって縮小させる。
【００２５】
本考案においては、空洞２１はその内側に突出する突起２２を有するため、上記のように落下の衝撃でその空間を縮小させる場合、突起２２の先端が、当該先端が相対する内壁に衝突する。その結果、空洞２１は、上記先端が衝突するまでは上記衝撃によって縮小するが、上記先端が内壁に衝突した後は殆どその空間を縮小させない。言い換えれば、空洞２１は、上記衝撃によって距離ｄ１に相当する長さ分、前面‐背面方向に縮小可能となっている。
【００２６】
緩衝部材２０によって被梱包物を外部の衝撃から保護する場合、上記空洞２１をある程度縮小可能とすることで衝撃を吸収できるが、空洞２１が完全に潰れてしまっては、それ以降、外部の衝撃が被梱包物に伝わりやすくなり、被梱包物の保護が不充分となる。
本考案によれば、空洞２１が縮小することをある程度は許容しつつも、その程度に制限を設けているため、空洞２１が潰れてその空洞部分が殆ど無くなったり、大きく変形してしまうことを防止できる。その結果、緩衝部材２０は、常に空洞２１の存在による衝撃の吸収効果を発揮しながら、ＣＲＴディスプレイ１０を保護することができる。
【００２７】
また、ＣＲＴディスプレイ１０の場合、上述したように背面中央部１１ｂは後方に突出している。そのため、ＣＲＴディスプレイ１０を収容する箱体３０の内壁と背面中央部１１ｂとの距離ｄ２は十分な長さを確保し難く、その結果、背面中央部１１ｂは他の部分よりも外部からの衝撃に晒され易い。そこで、上記突起２２の先端と当該先端と相対する空洞２１の内壁との距離ｄ１を距離ｄ２よりも短い距離に設定する。その結果、緩衝部材２０が前面‐背面方向に縮小する距離が距離ｄ２より短く抑えられ、背面中央部１１ｂが箱体３０に直接接してしまうことが防止される。
【００２８】
ここで、上記空洞２１は、少なくとも前面側から背面側へと突出する突起をその内壁に形成してればよく、その形状は上記のものに限られない。
図４〜６は、空洞形状のバリエーションを示している。
図４に示す例では、空洞２１ａを取り囲む各内壁のうち、前面側に近い内壁２０ｃ１の略中央から柱状の突起２２ａが背面側に向かって突出している。そして、当該突起２２ａの先端と、当該先端が相対する空洞２１ａの内壁との間には、所定の距離が確保されている。
また、突起の数は一本に限る必要はなく上記のような柱状の突起を複数突出させるとしてもよい。
【００２９】
図５に示す例では、空洞２１ｂは、前面‐背面方向における水平断面の形状が略Ｓ字状となっている。つまり、空洞２１ｂを取り囲む内壁のうち、前面側に近い壁面から背面側に向かって空洞内部に突起２２ｂ１が突出するとともに、空洞２１ｂを取り囲む内壁のうち、背面側に近い壁面から前面側に向かって空洞内部に突起２２ｂ２が突出している。かかる形状においては、背面側からの箱体３０の落下に加えて、前面側からの落下に対しても、空洞２１ｂが潰れることを確実に防止でき、ＣＲＴディスプレイ１０をより確実に保護することができる。
【００３０】
図６に示す例では、空洞２１ｃは、前面‐背面方向における水平断面の形状が略Ｈ字状となっている。つまり、空洞２１ｃを取り囲む内壁のうち、前面側に近い壁面から背面側に向かって空洞内部に突起２２ｃ１が突出するとともに、空洞２１ｃを取り囲む内壁のうち、背面側に近い壁面から前面側に向かって空洞内部に突起２２ｃ２が突出し、かつ、突起２２ｃ１，２２ｃ２の先端が互いに相対している。かかる形状においては、上記落下の衝撃によって空洞２１ｃが縮小したときに先端同士が衝突するため、空洞２１ｂが潰れることを確実に防止できるとともに、背面側からの箱体３０の落下に加えて、前面側からの落下に対しても、ＣＲＴディスプレイ１０を確実に保護することができる。
【００３１】
なお、ＣＲＴディスプレイ１０は、その左右を２ピースの緩衝部材によって保護してもよい。図７は、ＣＲＴディスプレイ１０を緩衝部材によって保護し箱体３０に収容する態様であって、図１とは異なる例を示している。同図では、被梱包物としてのＣＲＴディスプレイ１０を背面側から示している。
【００３２】
同図に示すように、ＣＲＴディスプレイ１０を正面から見たときに同ＣＲＴディスプレイ１０の右側に装着される緩衝部材２０ｅと、左側に装着される緩衝部材２０ｆとによってＣＲＴディスプレイ１０を保護する。また、緩衝部材２０ｅの上下および緩衝部材２０ｆの上下部分（緩衝部材２０ｅおよび緩衝部材２０ｆの下部分のみであってもよい。）には、図１〜３に示した空洞２１、または図４，５，６に示した空洞２１ａ，２１ｂ，２１ｃのいずれかが形成される。このような構成によっても、上記落下時の衝撃からＣＲＴディスプレイ１０を確実に保護することができる。
【００３３】
このように本考案によれば、ＣＲＴディスプレイ１０の背面と当該背面と相対する箱体３０の内壁との間を埋める緩衝部材２０の厚肉箇所に、少なくとも前面側から背面側に向かって突出する突起２２を空間内部に形成した空洞２１を備えることにより、落下時の衝撃を受けた際に、当該空洞２１をある程度縮小させて同衝撃を吸収させるとともに、突起２２の先端を同先端と相対する空洞２１の内壁に衝突させることにより、空洞２１の縮小程度を抑え、空洞２１が潰れてしまう事を防止するため、被梱包物としてのＣＲＴディスプレイ１０を確実に保護することができる。
【図面の簡単な説明】
【００３４】
【図１】本考案にかかる包装構造を概略的に示した斜視図。
【図２】本考案にかかる包装構造の一部断面図。
【図３】一例にかかる空洞の変形前後の形状を示した斜視図。
【図４】他の例にかかる空洞の形状を示した斜視図。
【図５】他の例にかかる空洞の形状を示した斜視図。
【図６】他の例にかかる空洞の形状を示した斜視図。
【図７】本考案にかかる包装構造の他の例を概略的に示した斜視図。
【符号の説明】
【００３５】
１０…ＣＲＴディスプレイ
１１…背面
１１ａ…背面縁周部
１１ｂ…背面中央部
２０，２０ａ，２０ｂ，２０ｃ，２０ｄ，２０ｅ，２０ｆ…緩衝部材
２１，２１ａ，２１ｂ，２１ｃ…空洞
２２，２２ａ，２２ｂ１，２２ｂ２，２２ｃ１，２２ｃ２…突起
３０…箱体
【図１】
0003112849.tif 000003
【図２】
0003112849.tif 000004
【図３】
0003112849.tif 000005
【図４】
0003112849.tif 000006
【図５】
0003112849.tif 000007
【図６】
0003112849.tif 000008
【図７】
0003112849.tif 000009